(57)【要約】      （修正有）【課題】使用者の両腕が固定されずに、使用者が熟睡・安眠を促進する枕を提供する。【解決手段】使用者の顔面を載置するための略球状面の載置部１３が、連結部１５を介して略環状部１７に渡るように一体に形成され、空気が充填されるときに膨張し、排出されるときに収縮する一体内壁面を備える。略環状部の上方で中央には、載置部が位置するように配置され使用状態となる。そして、使用者の顔面を略球状面の載置部に載せながら、両手が略環状部に載せて使用される。その結果、使用者の両腕が自由に移動可能となり固定されずに、安眠・熟睡が促進される。【選択図】図１
0003118617.tif 000002
【実用新案登録請求の範囲】
【請求項１】
使用者の顔面を載置するための略球状面の載置部が、連結部を介して略環状部に渡るように一体に形成され、柔軟性を持つことを特徴とする枕。
【請求項２】
請求項１に記載の枕において、
空気が充填されるときに膨張し、排出されるときに収縮する一体内壁面を備える枕であり、
該一体内壁面は、前記載置部の略球状内壁面から前記連結部の略筒状内壁面を介して前記略環状部の環状内壁面へ連なっており、
収縮時には平面形状になり、前記略環状部から折り畳んだ部分を前記載置部の略球状内壁面に収納して略球状にして携帯することが可能であることを特徴とする枕。
【請求項３】
使用者の顔面を載置するための略球状面を持つ載置部と、該略球状面の外周部を保持するために前記載置部の直径より小さい内側円周面を有する略環状部と、を有する枕であって、
該略環状部から前記載置部へ連結される連結部を備え、
前記略環状部から該連結部を介して前記載置部へ内部連通し、空気が充填され膨張する一体形成の内壁面を有し、
収縮時には平面形状になり、前記略環状部から折り畳んだ部分を前記載置部の略球状内壁面に収納して略球状にして携帯することが可能であることを特徴とする枕。
【請求項４】
使用者の顔面を載置するための略球状面を持つ載置部と、該略球状面の外周部を保持するために前記載置部の直径より小さい内側円周面を有する略環状部と、を別々に備え、夫々膨張収縮自在であることを特徴とする枕。
【請求項５】
請求項１乃至４の一つに記載の枕において、
前記略環状部は、
前記空気を充填や排出するための充填排出兼用穴を有し、充填排出兼用栓で封止されることを特徴とする枕。
【請求項６】
請求項１乃至４の一つに記載の枕において、
前記略環状部は、
前記空気を充填するための充填用穴及び排出するための排出用穴を有し、充填用栓及び排出用栓でそれぞれ封止されることを特徴とする枕。
【考案の詳細な説明】
【技術分野】
【０００１】
本考案は、枕、特に、オフィスの昼休みのランチタイム等に使用される枕に関する。
【背景技術】
【０００２】
従来、人間は、生理現象として、オフィスでの昼休みのランチ後には、３０分から６０分タイム毎に眠くなるリズムがある。午後のオフィスでの作業効率を上げるために携帯可能な枕が使用されている。
【０００３】
この種の枕の第１従来例として、意匠に係る物品がデスクピローの意匠登録第１１６４４８３号公報（特許文献１）がある。
【０００４】
また、第２従来例として、考案の名称が携帯用空気枕の実開平６−３３５７６号公報（特許文献２）がある。第２従来例では、空気の出入口と、この出入口に着脱自在な栓体と、を備え、略環状部を有する空気枕である。
【０００５】
さらに、第３従来例としては、考案の名称が携帯用仮眠カバーの実用新案登録第３１０５４９０号公報（特許文献３）がある。第３従来例の考案は、携帯ケースと、仮眠カバーと、枕と、を有する携帯ケースである。
【０００６】
【特許文献１】意匠登録第１１６４４８３号公報
【特許文献２】実開平６−３３５７６号公報
【特許文献３】実用新案登録第３１０５４９０号公報
【０００７】
しかしながら、第１従来例等の枕では、机の上で使用者が両腕で抱え、貫通形成された貫通穴に顔を埋める必要がある。そのため、使用者は、両腕が机との間で頭の重さでプレスされ、痺れてしまって、熟睡・安眠を阻害するという問題がある。
【考案の開示】
【考案が解決しようとする課題】
【０００８】
本考案は、このような問題を鑑みてなされたものであり、使用者の両腕が固定されずに、使用者が熟睡・安眠を促進する枕を提供することを目的とする。
【０００９】
上記目的を達成するために、本考案の枕は、使用者の顔面を載置するための略球状面の載置部が、連結部を介して略環状部に渡るように一体に形成され、柔軟性を持つことを特徴とする。
【００１０】
また、本考案は、使用者の顔面を載置するための略球状面を持つ載置部と、該略球状面の外周部を保持するために前記載置部の直径より小さい内側円周面を有する略環状部と、を有する枕であって、該略環状部から前記載置部へ連結される連結部を備え、前記略環状部から該連結部を介して前記載置部へ内部連通し、空気が充填され膨張する一体形成の内壁面を有し、収縮時には平面形状になり、前記略環状部から折り畳んだ部分を前記載置部の略球状内壁面に収納して略球状にして携帯することが可能であることを特徴とする。
【００１１】
更に、本考案は、使用者の顔面を載置するための略球状面を持つ載置部と、該略球状面の外周部を保持するために前記載置部の直径より小さい内側円周面を有する略環状部と、を別々に備え、夫々膨張収縮自在であることを特徴とする。
【００１２】
上述したような考案によれば、略環状部の上方で中央には、載置部が位置するように配置され使用状態となる。そして、使用者の顔面を略球状面の載置部に載せながら、両手が略環状部に載せて使用される。その結果、使用者の両腕が自由に移動可能となり固定されずに、安眠・熟睡が促進される。
【考案の効果】
【００１３】
以上のように本考案の枕は、姿勢を崩さなくても気軽に仮眠ができる。
しかも、使用者の両腕が固定されずに、自由に移動可能であって、長い髪を持つ使用者であっても、髪が載置部の略球状面に沿って垂れ下がって髪の寝癖を防止すると共に、使用者が熟睡・安眠を促進する効果を期待できる。
【考案を実施するための最良の形態】
【００１４】
（一実施の形態）
以下、本考案の一実施の形態について図面を用いて詳細に説明する。図１は、本考案に係る一実施の形態における枕１１の説明図で、例えば、ウレタン等の樹脂製の一体成形袋を膨張させた後、カバーで覆った状態である。図２は、図１の枕１１を下面方向から見た説明図である。図３は、図１の枕１１の側面図である。図４は、本考案に係る枕１１中の空気を排出してカバーで覆わず、未使用の収縮状態を示す平面図である。図６は、本考案における枕１１を使用した状態を示す説明図である。
【００１５】
本考案に係る枕１１は、ウレタン等の樹脂製の一体成形袋を備え、使用者の顔面を載置するための略球状面の載置部１３が、連結部１５を介して略環状部１７に渡るように一体に形成され、空気が充填されるときに膨張し、排出されるときに収縮する一体内壁面の裏地を備える。裏地の一体内壁面は、載置部１３の略球状内壁面から連結部１５の略筒状内壁面を介して略環状部１７の環状内壁面へ連なっている。
【００１６】
図４に示すように、枕１１は、収縮時には平面形状になっている。枕１１は、一体の樹脂袋（裏地）であり、この裏地を覆うためのカバーが示されておらず、小型軽量である。枕１１は、収縮時には平面形状にしてから、略環状部１７から折り畳んだ部分を載置部１３の裏地の内壁面に収納して略球状にして携帯することが可能である。
【００１７】
略環状部１７は、空気を充填するための充填用穴及び排出するための排出用穴を有し、夫々の充填栓１９、排出栓２１で封止される。排出穴を排出栓２１で封止した状態で、充填用穴を介して空気を電動空気ポンプ（図示しない）等で即座に充填した後、充填栓１９で封止する。その後、メッシュ木綿等製からなるカバーで覆った図１の枕１１は、使用状態となる。尚、電動空気ポンプは電池交換可能で排出（抜気）も兼用できるものが良い。
【００１８】
略環状部１７は、載置部１３の略球状面の外周部を保持するために載置部１３の直径より大きい内側面を有する。略環状部１７から連結部１５を介して載置部１３へ内部連通し、空気が充填され膨張される場合に、使用に適する状態になる。
【００１９】
本考案の枕１１の使用の際には、使用者の顔面が枕１１の載置部１３の上に載せ、連結部１５は、使用者の首や胸の付近が当接する。このとき、両手は略環状部の左右に載せて、枕１１のふわふわ感触を感じる状態になる。その結果、熟睡安眠を促すように作用する。また、図１の枕１１を上下逆さまにして使用も可能で、第１従来例と同様な状態となって使用できる。
【００２０】
なお、略環状部１７は、空気を充填や排出するための充填排出兼用穴を一つ有し、一つの栓で封止されるように構成しても良い。
【００２１】
使用者の枕１は、使用者の睡眠中その状態で時間が経過しても使用者の両腕が略環状部１７の上に自由自在の固定されない状態となる。使用者が目覚めても、両腕は、略環状部１７の上でふわふわした状態で保持され母に抱かれているように和みながら、熟睡・安眠が促進される効果が期待される。
【００２２】
（他の実施の形態）
図５は、他の実施の形態における枕１１Aの構成を示す説明図である。図５に示すように、枕１１Aは、使用者の顔面を載置するための略球状面を持つ載置部１３Aと、略球状面の外周部を保持するために載置部１３Aの直径より大きい内側面を有する略環状部１７Aと、を別々に備え、夫々膨張収縮自在である。
【００２３】
枕１１Aでは、別々の載置部１３A及び略環状部１７Aを備えるだけで、使用方法に関しては同一である。また、汚れが付着した場合、各部のカバー交換が容易になる。さらに、枕１１Aでは、枕以外の用途、例えば、幼児のおもちゃ等にも使用可能となる。
【産業上の利用可能性】
【００２４】
本考案の枕は、オフィス、学校等のランチタイムの際に膨張させて手軽に仮眠（昼寝）しても、熟睡安眠でき、車中でも航空機中でも様々な場所に携帯できるだけなく、腰痛防止用のクッションや座布団としても使用可能であり、人間以外のペット等の動物用ベッドにも利用可能である。
【００２５】
また、本考案の枕に防水加工処理を施しても良い。この場合、シャワー、入浴や海水浴直後でも仮眠ができるようになるだけでなく、川や海で溺れた人を発見した場合には、本考案の枕を提携していれば、電動ポンプで即座に空気を充填用穴から充填して膨張させた後、溺れた人に本考案の枕を投げつけ掴ませ人命救助することにより、浮き袋兼用（海難救助用）として利用することも可能であることは言うまでもない。
【００２６】
更に、本考案の枕は、略環状部が、例えば、略四角形状に構成しても良い。
【００２７】
尚、本考案の枕は、スペースの狭い所で小さく膨らませて使用するように構成しても良い。連結部近傍であって略環状部の一部だけ空気を部分充填可能に樹脂袋の裏地を二重に構成してもよい。
【図面の簡単な説明】
【００２８】
【図１】本考案に係る一実施の形態における枕１１の斜視図で、膨張させた後、カバーで覆った状態を示す。
【図２】図１の枕１１を下面方向から見た説明図である。
【図３】図１の矢印方向に沿って見た枕１１の側面図である。
【図４】本考案に係る枕１１中の空気を排出してカバーで覆わず、未使用の収縮状態を示す平面図である。
【図５】他の実施の形態における枕１１Aの構成を示す説明図である。
【図６】本考案における枕１１を使用した状態を示す説明図である。
【符号の説明】
【００２９】
１１、１１A  枕
１３、１３A  略球状面の載置部
１５  連結部
１７、１７A  略環状部
１９  空気充填穴栓
２１  排出穴栓
【図１】
0003118617.tif 000003
【図２】
0003118617.tif 000004
【図３】
0003118617.tif 000005
【図４】
0003118617.tif 000006
【図５】
0003118617.tif 000007
【図６】
0003118617.tif 000008